(57)【要約】【課題】マイナスイオン発生手段を搭載した電気掃除機においてマイナスイオン放出によって掃除機本体にプラス電荷が多量に帯電するのを防止する。【解決手段】マイナスイオン発生装置１１２を備えた掃除機本体２０１にプラス電荷を気中に放電する除電手段２０８を設け、マイナスイオン放出によって掃除機本体２０１に蓄積したプラス電荷を気中に放電（除電）する。【選択図】  図１
2004229678.tif 000002
【特許請求の範囲】
【請求項１】
掃除機本体にマイナスイオン発生手段を搭載した電気掃除機において、
前記マイナスイオン発生手段によってマイナスイオンを発生することによって前記掃除機本体に蓄積したプラス電荷を大気中に放出して除電する除電手段を設けたことを特徴とする電気掃除機。
【請求項２】
請求項１において、前記除電手段は、前記マイナスイオン発生手段によるマイナスイオン放出位置から離れた位置に設置した放電部材を備え、掃除機本体に帯電したプラス電荷を大気中へ放電させるように構成したことを特徴とする電気掃除機。
【請求項３】
請求項１または２において、前記除電手段は、電気抵抗の低い微細繊維の集合体を備えたことを特徴とする電気掃除機。
【請求項４】
請求項１または２において、前記除電手段は、アクリロニトリル−硫化銅複合繊維をフエルト状に集合させた繊維集合体を備えたことを特徴とする電気掃除機。
【請求項５】
請求項１〜４の１項において、前記除電手段は、掃除機本体に吸込口体を接続する吸込ホースの途中に設けたことを特徴とする電気掃除機。
【請求項６】
請求項１〜４の１項において、前記除電手段は、掃除機本体に吸込口体を接続する吸込ホースの手元部に設けたことを特徴とする電気掃除機。
【請求項７】
請求項１〜４の１項において、前記除電手段は、掃除機本体に接続される吸込ホースと吸込口体の間に介在させる延長管に設けたことを特徴とする電気掃除機。
【請求項８】
請求項１〜４の１項において、前記除電手段は、吸込ホースを介して掃除機本体に接続される吸込口体に設けたことを特徴とする電気掃除機。
【請求項９】
樹脂成型部品を組み合わせて構成した掃除機本体と、この掃除機本体の後部に搭載したマイナスイオン発生手段を備えた電気掃除機において、
前記マイナスイオン発生手段によってマイナスイオンを発生することによって前記掃除機本体に蓄積したプラス電荷を大気中に放出して除電する除電手段を該掃除機本体の前部に設けたことを特徴とする電気掃除機。
【請求項１０】
請求項９において、前記掃除機本体は、ＰＰ樹脂成型の下ケースと、ＡＢＳ樹脂成型の上ケースおよび集塵室カバーを備え、前記除電手段は、前記集塵室カバーの前部に設置したことを特徴とする電気掃除機。
【請求項１１】
請求項１０において、前記集塵室カバーは、その前部に取っ手を構成する凹部を備え、前記除電手段は、前記凹部内に設置したことを特徴とする電気掃除機。
【発明の詳細な説明】
【０００１】
【発明の属する技術分野】
本発明は、電気掃除機に係り、特に、マイナスイオン（マイナス空気イオン）発生手段を搭載した電気掃除機に帯電したプラス電荷を除電するための手段に関する。
【０００２】
【従来の技術】
【特許文献１】
特開２００１−１７３６１号公報
マイナスイオンが人体に好影響をもたらすといわれていることに注目し、マイナスイオンを発生するように構成した電気掃除機が提案されている。特許文献１に記載された電気掃除は、自発分極を有する粉体を送風経路の一部に配設し、マイナスイオンを発生させて放出する構成である。
【０００３】
【発明が解決しようとする課題】
このようなマイナスイオン発生手段を搭載した電気掃除機は、マイナスイオンを放出し続けると、当然のことながら、その反面、電気掃除機にはプラス電荷が帯電（蓄積）してしまう。
【０００４】
電気掃除機内にプラス電荷が帯電してしまうと、マイナスイオン発生手段から発生するマイナスイオンは、発生直後にプラスに帯電した電気掃除機内で中和されてしまい、機外（電気掃除機を使用している周辺空気）にマイナスイオンを放出することが困難となってしまう。
【０００５】
マイナスイオン発生手段を掃除機本体における集塵部の消臭の目的で配設した場合でも同様であり、電気掃除機自体にプラス電荷が帯電してしまうと、マイナスイオン発生手段より発生したマイナスイオンは、その消臭対象である臭い源に到達するよりも先にプラスに帯電した電気掃除機内で中和されてしまい、消臭作用を十分に発揮することができなくなってしまう。
【０００６】
更に、一定量以上のプラス電荷が帯電した電気掃除機に人体が触れると、電気的ショック（静電気ショック）を与えるおそれがあるとういう問題もある。
【０００７】
このような問題は、家庭用電源コンセント（商用電源）から電源コードを介して受電する電気掃除機においては、電気掃除機に蓄積したプラス電荷を電源コードを介して家庭用電源コンセントに放電させて除電する構成とすることにより、解消することができるが、電源が家庭用電源コンセントに接続しない状態で使用する充電式（バッテリー駆動式）の電気掃除機においては、除電することが困難である。
【０００８】
本発明の１つの目的は、マイナスイオンの生成および放出を安定に継続することができる電気掃除機を提案することにある。
【０００９】
本発明の他の目的は、マイナスイオンの発生および放出によって電気掃除機に帯電（蓄積）するプラス電荷を除電するのに好適な除電手段を提案することにある。
【００１０】
【課題を解決するための手段】
本発明は、掃除機本体にマイナスイオン発生手段を搭載した電気掃除機において、前記マイナスイオン発生手段によってマイナスイオンを発生することによって前記掃除機本体に蓄積したプラス電荷を大気中に放出して除電する除電手段を設けたことを特徴とする。
【００１１】
そして、前記除電手段は、前記マイナスイオン発生手段によるマイナスイオン放出位置から離れた位置に設置した放電部材を備え、掃除機本体に帯電したプラス電荷を大気中へ放電させるように構成したことを特徴とする。
【００１２】
また、前記除電手段は、電気抵抗の低い微細繊維の集合体を備えたことを特徴とする。
【００１３】
また、前記除電手段は、アクリロニトリル−硫化銅複合繊維をフエルト状に集合させた繊維集合体を備えたことを特徴とする。
【００１４】
また、前記除電手段は、掃除機本体に吸込口体を接続する吸込ホースの途中に設けたことを特徴とする。
【００１５】
また、前記除電手段は、掃除機本体に吸込口体を接続する吸込ホースの手元部に設けたことを特徴とする。
【００１６】
また、前記除電手段は、掃除機本体に接続される吸込ホースと吸込口体の間に介在させる延長管に設けたことを特徴とする。
【００１７】
また、前記除電手段は、吸込ホースを介して掃除機本体に接続される吸込口体に設けたことを特徴とする。
【００１８】
また、本発明は、樹脂成型部品を組み合わせて構成した掃除機本体と、この掃除機本体の後部に搭載したマイナスイオン発生手段を備えた電気掃除機において、前記マイナスイオン発生手段によってマイナスイオンを発生することによって前記掃除機本体に蓄積したプラス電荷を大気中に放出して除電する除電手段を該掃除機本体の前部に設けたことを特徴とする。
【００１９】
そして、前記掃除機本体は、ＰＰ樹脂成型の下ケースと、ＡＢＳ樹脂成型の上ケースおよび集塵室カバーを備え、前記除電手段は、前記集塵室カバーの前部に設置したことを特徴とする。
【００２０】
また、前記集塵室カバーは、その前部に取っ手を構成する凹部を備え、前記除電手段は、前記凹部内に設置したことを特徴とする。
【００２１】
【発明の実施の形態】
本発明の実施の形態を図面を参照して説明する。
【００２２】
図２は、本発明の一実施の形態を示す電気掃除機の外観斜視図である。
【００２３】
この実施の形態における電気掃除機は、電動送風機や集塵袋やマイナスイオン発生装置や制御装置や充電式電池等を内蔵する掃除機本体２０１と、掃除機本体２０１の吸込ホース接続部に接続された吸込ホース２０２と、吸込ホース２０２の先端部に設けた吸込ホース手元部２０３と、吸込ホース手元部２０３に接続された延長管２０４と、延長管２０４の先端に接続された吸込口体２０５を備える。掃除機本体２０１は、環状の本体車輪２０６と排気フィルター２０７と除電手段２０８を備え、吸込ホース手元部２０３は、スイッチ操作部２０９を備え、吸込口体２０５は、電動回転ブラシ（図示省略）を内蔵する。
【００２４】
図１は、この実施の形態における掃除機本体２０１の縦断側面図である。この実施の形態における掃除機本体２０１は、その前半部分に、下部を覆うＰＰ樹脂成型部品の下ケース１０１と、上部を開閉可能に覆うＡＢＳ樹脂成型部品の集塵室カバー１０２と、前記下ケース１０１に設けた吸込ホース接続口１０３と、集塵袋を収納する集塵室１０４を備え、その後半部分に、前記下ケース１０１とＡＢＳ樹脂成型部品の上ケース１０５とで形成する電動送風機室１０６と、制御装置収納室（図示省略）と、マイナスイオン発生装置室１０７を備え、更に、前記電動送風機室１０６および制御装置収納室（図示省略）の下部には前記下ケース１０１と電池室蓋１０８によって形成する充電池収納室１０９を備える。マイナスイオン発生装置室１０７は、掃除機本体２０１の後側面に位置して機外に開放するマイナスイオン放出窓１０７ａを備え、排気流の一部をマイナスイオン発生装置室１０７を通過させて機外に放出させることによって該マイナスイオン発生装置室１０７内で発生したマイナスイオンを掃除機本体２０１の後部から後方に向けて機外に放出するように構成する。
【００２５】
集塵室１０４には、前記吸込ホース接続口１０３に接続された吸込ホース２０２から流入する吸込気流に含まれる塵埃を補集するための集塵袋（パックフィルター）１１０を着脱自在に収容し、電動送風機室１０６には、前記吸込気流を生み出す電動送風機１１１を設置し、前記制御装置収納室には、制御装置を設置し、マイナスイオン発生装置室１０７には、マイナスイオン発生装置１１２を設置し、充電池収納室１０９には、前記電動送風機１１１，吸込口体２０５内の電動回転ブラシおよびマイナスイオン発生装置１１２を駆動するための充電式電池（バッテリー）１１３を収納する。マイナスイオン発生装置１１２は、制御装置に一体的に設けても良い。
【００２６】
前記電動送風機室１０６に設置した電動送風機１１１の吸気口１１１ａは、電動送風機１１１の吸気口側に設けたフィルター１１４を介して前記集塵室１０４に連通させる。
【００２７】
集塵室１０４の下部を形成している下ケース１０１の壁面上部にはパッキン１１５を設置し、集塵室カバー１０２をパッキン１１５に圧接することにより集塵室１０４の気密を保持するように構成する。因に、集塵室カバー１０２は、後端部に設けた支軸を中心にして前部を俯仰可能に設置し、その前端部に取っ手を形成するように吸込ホース接続口１０３の外周に位置させて該前端部に形成した凹部１０２ａに指を入れて前端部に引っ掛けて俯仰操作（特に開放操作）することにより、集塵室１０４の上部を開閉する構成である。
【００２８】
前記除電手段２０８は、マイナスイオン放出窓１０７ａの位置から遠く離れて位置するようにＰＰ樹脂成型部品である下ケース１０１に比較して電気抵抗が小さいＡＢＳ樹脂成型部品である集塵室カバー１０２に設置する。この実施の形態における除電手段２０８は、大気に開放する放電開口２０８ａを設けた保持部２０８ｂを集塵室カバー１０２に一体的に形成し、この保持部２０８ｂの内側に放電部材２０８ｃを収納し、その内側に蓋２０８ｄを嵌着して集塵室１０４の気密を保持する構成である。放電部材２０８ｃは、電気抵抗の低い微細繊維の集合体であって、集塵室カバー１０２にプラス電荷が蓄積して電位が上昇すると放電開口２０８ａを通して気中放電してプラス電荷を放出（除電）するように構成する。
【００２９】
図示説明は省略するが、制御装置は、充電式電池１１３を電源として、スイッチ操作部２０９に設けたスイッチからの指示信号に従って、電動送風機１１１と電動回転ブラシとマイナスイオン発生装置１１２を運転するように構成する。制御装置とスイッチ操作部２０９および電動回転ブラシの電気的な接続は、吸込ホース２０２および延長管２０４に内設した電線（図示省略）を介して実現する。
【００３０】
この実施の形態の電気掃除機は、充電式（バッテリー駆動式）であるが、前記電池収納室１０９に、前記充電式電池（バッテリー）１１３の代わりに、電源コードリール（図示省略）を配設することにより、ＡＣ電源式の電気掃除機に変形して実施することも可能である。
【００３１】
次に、この電気掃除機の動作について説明する。
【００３２】
電気掃除機の使用者が吸込ホース手元部２０３に設けられたスイッチ操作部２０６のスイッチを押すことにより、押されたスイッチに従った指示信号コードを制御装置に伝達し、制御装置は、指示信号コードに応じた運転制御を実行する。
【００３３】
真空吸引式掃除では、電動送風機１１１とマイナスイオン発生装置１１２を運転する。電動送風機１１１を運転すると、吸気口１１１ａから集塵室１０４内の空気を吸い込んで排気することから吸込気流が発生し、この吸込気流により吸込口体２０５から吸い込んだ塵埃を延長管２０４，吸込ホース２０２，吸込ホース接続口１０３を介して集塵室１０４内に運んで集塵袋１１０で濾過（集塵）する。集塵袋１１０で濾過された気流は、フィルター１１４によって更に微細な塵を濾過した後に電動送風機１１１に吸込む。そして、電動送風機１１１から排出する気流を該電動送風機室１０６の下部の出口から電動送風機室１０６の外部に導き、本体車輪２０６に内設した排気フィルター２０７で再度濾過した後に電動掃除機本体２０１の外部へ排出する。
【００３４】
また、排気フィルター２０７で濾過した気流の一部を、マイナスイオン発生装置室１０７へ導いてマイナスイオン放出窓１０７ａから機外に排気するが、マイナスイオン発生装置室１０７内にはマイナスイオン発生装置１１２によってマイナスイオンが発生していることから該マイナスイオンが排気に乗って電動掃除機本体２０１の後方に向けて機外に放出される。
【００３５】
電動回転ブラシ併用の真空吸引式掃除では、電動送風機１１１とマイナスイオン発生装置１１２は前述した真空吸引式掃除と同様に運転し、更に、吸込口体２０５に内蔵した電動回転ブラシ（図示省略）を運転する。この電動回転ブラシは、吸込ホース２０２，吸込ホース手元部２０３，延長管２０４にそれぞれ内設した電線（図示省略）を介して充電式電池１１３から給電する。電動回転ブラシには、掃除面を摺擦して該掃除面に沈着している塵埃を掻き出して吸込気流によって吸込み易くする。
【００３６】
この実施の形態では、電気掃除機の運転（掃除）と連動してマイナスイオン発生装置１１２も自動的に運転するような制御方式としているが、マイナスイオン発生装置１１２を単独で運転することがができる制御モードを設定することも可能である。
【００３７】
このような運転によってマイナスイオンの放出を継続すると、掃除機本体２０１にプラス電荷が蓄積する。そして、このプラス電荷は、比較的に電気抵抗の低い上ケース１０５から集塵室カバー１０２に流れて除電手段２０８に達する。そして、集塵室カバー１０２の電位が高くなると放電部材２０８ｃの電位も上昇して該放電部材２０８ｃから放電開口２０８ａを通して気中放電してプラス電荷を放出（除電）する。このプラス電荷の放出は、掃除機本体２０１の前方部位で実現するので、後部方向へ放出するマイナスイオンへの影響を軽減することができる。
【００３８】
次に、マイナスイオン発生装置１１２の実施の形態を図３〜図６を参照して説明する。
【００３９】
図３は、この実施の形態において採用したマイナスイオン発生装置１１２の外観斜視図である。このマイナスイオン発生装置１１２は、コロナ放電によってマイナスイオンを発生させるための針状に尖らせた放電電極１１２ａと、板状の正電極１１２ｂと、両電極１１２ａ，１１２ｂを間隔をあけて支持する電極固定基材１１２ｃと、前記放電電極１１２ａと正電極１１２ｂの間に高電圧を印加するための高電圧発生ユニット１１２ｄを備える。
【００４０】
放電電極１１２ａは、金属，半金属，合金，ホウ化物，酸化物，炭化物，窒化物および硫化物などの材料を使用して構成し、針状に尖らせた先端部分は、研磨方法，蒸着方法または酸化等による化学反応によってその曲率を０．３ｍｍ以下に形成する。
【００４１】
高電圧発生ユニット１１２ｄは、−３ｋＶ〜−８ｋＶの直流または交流の高電圧を発生して尖った放電電極１１２ａに印加する。この高電圧は、パルス状に印加することも可能である。
【００４２】
針状に尖った放電電極１１２ａと板状の正電極１１２ｂの間に所定の高電圧を印加すると、放電電極１１２ａの十分に尖った先端部にコロナ放電が誘起し、空間（マイナスイオン発生装置室１０７）に存在する空気（分子）に電子を与えてマイナスイオンを発生する。
【００４３】
このマイナスイオン発生装置１１２は、これを搭載する電気掃除機の形態に応じて、次のような形態に変形して実施することができる。
【００４４】
図４は、レナード効果を利用したマイナスイオン発生装置１１２の縦断側面図である。
【００４５】
このマイナスイオン発生装置１１２は、タンク１１２ｅの下方部分に水を収容しておき、この水をポンプ１１２ｆと送水パイプ１１２ｇにより上方に送水して複数個の噴射ノズル１１２ｈから衝突板１１２ｉに向けて勢い良く噴き付けることにより、水滴を微粒子に分裂させて空気中にマイナスイオンを発生する（自然界における滝の周辺で発生している所謂レナード現象を発生させる）構成である。タンク１１２ｅ内には、吸気口１１２ｊから送風手段１１２ｋによって外部空気を取り込み、レナード効果によって発生したマイナスイオンを含ませた後に気水分離室１１２ｍを通して排気口１１２ｎから排気する。気水分離室１１２ｍは、衝突板１１２ｈに衝突して発生した微細な水滴と空気を分離するものであり、その内部には複数段の気水分離板１１２ｐを設ける。
【００４６】
図５および図６は、マイナスイオン発生フィルターを使用するマイナスイオン発生装置１１２であって、図５は、マイナスイオン発生フィルターの斜視図、図６は、トルマリンの粉体の斜視図である。
【００４７】
このマイナスイオン発生装置１１２は、トルマリン粉体１１２ｑを付着させたマイナスイオン発生フィルター１１２ｒをマイナスイオン発生装置室１０７に設置する構成である。
【００４８】
トルマリン粉体１１２ｑは、自発分極を有する粉体であり、自然状態でプラス極１１２ｓとマイナス極１１２ｔに分極していて、前記プラス極１１２ｓとマイナス極１１２ｔの間に電界が生じている。
【００４９】
このようなマイナスイオン発生装置１１２を設置した電気掃除機では、電動送風機１１１の排気流の一部がマイナスイオン発生装置室１０７に送り込まれると該排気流はトルマリン１１２ｑを付着させたマイナスイオン発生フィルター１１２ｒを通過する。このとき、排気流中に含まれる水分子がトルマリン１１２ｑに発生している電界によって分解されて該排気流中にマイナスイオンを発生し、発生したマイナスイオンがマイナスイオン放出窓１０７ａから排気と共に機外に放出される。
【００５０】
この変形例では、自発分極を有する粉体としてトルマリン１１２ｑを用いているが、その他にも、ＢａＴｉＯ３、ＰｂＴｉＯ３、ＰｂＺｒＯ３、Ｐｂ（Ｚｒ，Ｔｉ）Ｏ３、ＫＮｂＯ３、ＫＴａＯ３、Ｋ（Ｔａ，Ｎｂ）Ｏ３、ＬｉＮｂＯ３、ロッシェル塩、硫酸グリシン、りん酸カリ、プロピオン酸カリシウムストロンチウム、麦飯石、医王石、黒曜石、蓮菜石、松鉱石、竹炭、シリカブラックを用いても同様の作用効果を得ることができる。また、この変形例においては、マイナスイオン発生フィルター１１２ｒの基材は、ポリエステルの不織布を用いたが、その他にもナイロンやアクリル等の樹脂繊維や発泡材を用いても同様の作用効果を得ることができる。
【００５１】
また、このようなマイナスイオン発生フィルター１１２ｒは、トルマリン１１２ｑなどのように自発分極を有する粉体の代わりに、セラミックスの粉体を付着させることによっても構成することができる。セラミックスを付着させたマイナスイオン発生フィルター１１２ｒは、排気流が通過すると、排気流中に含まれる水分子がセラミックスから発生する微量放射線によって、Ｈ＋分子とＯＨ−分子に分解され、その結果、排気流中にマイナスイオン（ＯＨ−）が発生する。
【００５２】
次に、除電手段２０８について説明する。この実施の形態においては、除電手段２０８の放電部材２０８ｃとして、微細なアクリロニトリル−硫化銅複合繊維をフエルト状に集合させた集合体（不織布）を用いている。アクリロニトリル−硫化銅複合繊維をフエルト状に集合させた集合体は、その繊維の一本一本の直径が１５．６〜１９μと極細で、しかも比抵抗値が５．８５×１０−２程度であり導体に近い半導体であることから、優れたコロナ放電性を有している。
【００５３】
従って、掃除機本体２０１に蓄積されるプラス電荷が多くなって電位が上昇するとアクリロニトリル−硫化銅複合繊維内には強い電界が誘発され、更には、アクリロニトリル−硫化銅複合繊維の周囲の空気が電離されて該アクリロニトリル−硫化銅複合繊維の極性移動が起こる。この現象により、掃除機本体２０１に蓄積したプラス電荷がアクリロニトリル−硫化銅複合繊維の先端部分から大気中へ放出する除電メカニズムが実現する。
【００５４】
保持部２０８ｂは、アクリロニトリル−硫化銅複合繊維をフエルト状に集合させた繊維の集合体で構成した放電部材２０８ｃを掃除機本体２０１の外気側に面させるような放電開口２０８ａを備えているので、プラス電荷の除電を効果的に行うことができる。
【００５５】
この除電手段２０８は、これを設ける電気掃除機の形態に応じて、次のような形態に変形して実施することができる。
【００５６】
図７は、その途中に除電手段２０８を設置した電気掃除機における吸込ホース２０２の側面図である。
【００５７】
この変形例における除電手段２０８は、電線（図示省略）を内設した吸込ホース２０２の隣り合う２つの山部２０２ａに挟まれた谷部２０２ｂにアクリロニトリル−硫化銅複合繊維をフエルトリング状に集合させた繊維集合体の放電部材２０８ｅを嵌着した構成である。
【００５８】
このように構成した除電手段２０８は、放電部材２０８ｅが電気掃除機の外気に常に面する構造となっているので、マイナスイオン発生装置１１２が運転を継続して掃除機本体２０１に蓄積するプラス電荷が増加すると、このプラス電荷は、掃除機本体２０１から吸込ホース２０２に内設した電線を通して放電部材２０８ｅへ導かれ、前述した実施の形態と同様にコロナ放電作用によって大気中へ放電（除電）する。
【００５９】
そして、吸込ホース２０２の谷部２０２ｂに嵌着した放電部材２０８ｅは、外れ難く、引っ掛かって切れるおそれも少ない。
【００６０】
図８は、除電手段２０８を設置した吸込ホース手元部２０３の斜視図である。
【００６１】
この変形例における吸込ホース手元部２０３は、アクリロニトリル−硫化銅複合繊維を集合してフエルト状の集合体に構成した放電部材２０８ｆを放電開口２０８ｇによって外気に露出するように保持する保持部２０８ｈを備える。
【００６２】
従って、マイナスイオン発生装置１１２の運転を継続することによって掃除機本体２０１に蓄積したプラス電荷は、掃除機本体２０１から吸込ホース２０２に内設した電線（図示省略）を通して放電部材２０８ｆに導かれ、前述した実施の形態と同様に、コロナ放電作用によって放電開口２０８ｇから大気中へ放出（除電）される。
【００６３】
図９は、除電手段２０８を設置した延長管２０４の斜視図である。
【００６４】
延長管２０４は、プラスティック製の内筒２０４ａとプラスチック製の外筒２０４ｂをテレスコープ式に組み合わて挿入量を変化させることによって全長を調節することができるように構成したものである。そして、アクリロニトリル一硫化銅複合繊維をフエルトリング状の集合体に形成して構成した放電部材２０８ｉを延長管２０４のほぼ中央部に位置するように外筒２０４ｂに固定し、且つ内筒２０４ａに常に接するように備え付けている。
【００６５】
このような除電手段２０８を備えた電気掃除機によれば、マイナスイオン発生装置１１２の運転によって掃除機本体２０１に帯電したプラス電荷は、この掃除機本体２０１から吸込ホース２０２に内設した電線（図示省略）と延長管２０４に内設した電線（図示省略）を通して放電部材２０８ｉへ導かれ、前述した例と同様のコロナ放電作用によって、大気中へと放電（除電）する。
【００６６】
このとき、延長管２０４の伸縮量が如何なる状態にあっても内筒２０４ａも放電部材２０８ｉに接触しているので、掃除機本体２０１に帯電したプラス電荷および延長管２０４に発生したプラス電荷を１つの放電部材２０８ｉから効率的に放電（除電）することができる。
【００６７】
図１０は、除電手段２０８を設置した吸込口体２０５の斜視図である。
【００６８】
この変形例における吸込口体２０５は、アクリロニトリル−硫化銅複合繊維をフエルトリング状に形成した集合体で構成した放電部材２０８ｊを備えた除電手段２０８を備える。具体的には、この除電手段２０８は、放電部材２０８ｊを外気に露出させるような複数の放電開口２０８ｋを備えた保持部２０８ｍを吸込口体２０５の筐体を構成する上ケース２０５ａと一体的に形成し、この保持部２０８ｍ内に前記放電部材２０８ｊを内蔵するように設置した構成である。
【００６９】
このような除電手段２０８を備えた電気掃除機は、マイナスイオン発生装置１１２の運転によって掃除機本体２０１に帯電したプラス電荷は、掃除機本体２０１から吸込ホース２０２と吸込ホース手元部２０３および延長管２０４に内設した電線（図示省略）を通して吸込口体２０５上の除電手段２０８の放電部材２０８ｊに導かれ、前述した例と同様のコロナ放電作用によって大気中へ放電（除電）される。
【００７０】
また、このような除電手段２０８は、図示説明は省略するが、集塵室カバー１０２の前端部に形成した凹部１０２ａ内に位置するように同様な構成で放電部材２０８ｃを設置して構成することが可能である。
【００７１】
【発明の効果】
本発明の電気掃除機は、マイナスイオンを生成して放出することによって掃除機本体に蓄積するプラス電荷を除電することができるので、マイナスイオンの生成および放出を安定に継続することができる。
【００７２】
また、プラス電荷を除電する除電手段は、電気抵抗の低い微細繊維の集合体によって構成した放電部材を使用することによって、少ない部品点数で、生産性がよく、しかもコストパフォーマンスにも優れた構成で実現することができる。
【００７３】
そして、このような除電手段を備えた電気掃除機は、家庭用電源コンセントとが電源コードにて電気的に接続しない状態で使用する充電式（バッテリー駆動式）の電気掃除機として特に有効である。
【図面の簡単な説明】
【図１】本発明の一実施の形態を示す電気掃除機における掃除機本体の縦断面図である。
【図２】本発明の一実施の形態を示す電気掃除機の外観斜視図である。
【図３】図１及び図２に示した電気掃除機に搭載しているマイナスイオン発生装置の外観斜視図である。
【図４】マイナスイオン発生装置の変形例を示す縦断側面図である。
【図５】マイナスイオン発生装置の変形例であるマイナスイオン発生フィルターの外観斜視図である。
【図６】図５に示したマイナスイオン発生フィルターに付着させている粉体の自発分極性を説明するトルマリン粉体の斜視図である。
【図７】除電手段の変形例を示す吸込ホースの側面図である。
【図８】除電手段の変形例を示す吸込みホース手元部の斜視図である。
【図９】除電手段の変形例を示す延長管の斜視図である。
【図１０】除電手段の変形例を示す吸込口体の斜視図である。
【符号の説明】
１０１…下ケース、１０２…集塵室カバー、１０２ａ…凹部、１０３…吸込ホース接続口、１０４…集塵室、１０５…上ケース、１０６…電動送風機室、１０７…マイナスイオン発生装置室、１０７ａ…マイナスイオン放出窓、１１０…集塵袋、１１１…電動送風機、１１２…マイナスイオン発生装置、１１２ａ…放電電極、１１２ｂ…正電極、１１２ｄ…高電圧発生ユニット、１１３…充電式電池、２０１…掃除機本体、２０２…吸込ホース、２０３…吸込ホース手元部、２０４…延焼管、２０５…吸込口体、２０８…除電手段、２０８ａ…放電開口、２０８ｂ…保持部、２０８ｃ…放電部材、２０８ｄ…蓋。
【図１】
2004229678.tif 000003
【図２】
2004229678.tif 000004
【図３】
2004229678.tif 000005
【図４】
2004229678.tif 000006
【図５】
2004229678.tif 000007
【図６】
2004229678.tif 000008
【図７】
2004229678.tif 000009
【図８】
2004229678.tif 000010
【図９】
2004229678.tif 000011
【図１０】
2004229678.tif 000012